【手続補正書】
【提出日】平成23年6月10日(2011.6.10)
【手続補正１】
【補正対象書類名】特許請求の範囲
【補正対象項目名】全文
【補正方法】変更
【補正の内容】
【特許請求の範囲】
【請求項１】
少なくとも１つの受信機ノードが中継受信機ノードによりコンテンツを受信すべきである一組の受信機ノードへの送信機ノードによる前記コンテンツのブロードキャストの際に複数のノードによる通信ネットワークへのアクセスシーケンスを判定する方法であって、
−受信機ノード毎に、２つのノード間の直接通信が可能である場合に前記２つのノード間に存在する少なくとも１つの他のノードとの少なくとも１つの子リンクを判定する工程と、
−階層木が少なくとも１つの中継受信機ノードを規定し且つ前記一組の受信機ノードによる前記コンテンツの受信を可能にし、一組の判定した子リンクの選択に基づいて、ダイバーシティの少なくとも１つの規則の関数として、ルートが前記送信機ノードである前記階層木を判定する工程と、
−１以上の中継受信機ノードによるアクセスと前記階層木の前記子リンクによりリンクされる１以上の受信機ノードによるアクセスとの間に、少なくとも１つの他のノードが前記通信ネットワークにアクセスすることを前記アクセスシーケンスが提供できるように前記階層木から前記アクセスシーケンスを判定する工程とを有し、各工程がマネージャデバイスにより実行されることを特徴とする判定方法。
【請求項２】
前記少なくとも１つの子リンクを判定する工程は、前記通信ネットワークの前記ノード間の通信レベルを表す情報を判定する工程を含み、前記階層木を判定する工程は通信レベルを表す前記情報の関数として行われることを特徴とする請求項１記載の判定方法。
【請求項３】
前記ダイバーシティの規則の１つは、前記子リンクによりリンクされる前記ノード間の通信レベルを表す前記情報が所定の閾値より大きい場合、判定される子リンクが前記階層木を判定するために選択されることを要求することを特徴とする請求項２記載の判定方法。
【請求項４】
前記ダイバーシティの規則の１つは、前記受信機ノードの各々が前記コンテンツの受信を可能にする前記階層木の複数のリンクを有することを要求することを特徴とする請求項１乃至３の何れか１項に記載の判定方法。
【請求項５】
前記送信機ノードが前記通信ネットワークへのアクセスを可能にするいくつかのアンテナを有し、前記階層木が存在する送信機ノードアンテナと同数の枝により構成されるとともに、前記ダイバシティの規則の１つは前記送信機ノードに関連して前記階層木の平衡化を要求することを特徴とする請求項１乃至４の何れか１項に記載の判定方法。
【請求項６】
−第２の受信機ノードが前記送信機ノードとの子リンクを有さずに、第１の受信機ノードが前記送信機ノードとの子リンクを有すること、
−前記第２の受信機ノードが中継受信機ノードでなく、前記第１の受信機ノードが中継受信機ノードであること、
−前記第１及び第２の受信機ノードはそれぞれ第１及び第２の中継受信者受信機ノードにおける前記コンテンツの受信を可能にする中継受信機ノードであり、第１の中継受信者受信機ノードの数は第２の中継受信者受信機ノードの数より多いこと、
−前記第１及び第２の受信機ノードはそれぞれ第１及び第２の中継受信者受信機ノードにおける前記コンテンツの受信を可能にする中継受信機ノードであり、前記第２の中継受信者受信機ノードの何れも中継ノードでなく、前記第１の中継受信者受信機ノードの少なくとも１つが中継ノードであることのうち少なくとも１つの基準が検証される場合、前記シーケンス中の前記第２の受信機ノードの前に、前記シーケンスは前記第１の受信機ノードによる前記通信ネットワークへのアクセスを更に提供することを特徴とする請求項１乃至５の何れか１項に記載の判定方法。
【請求項７】
少なくとも通信ネットワークからダウンロード可能であり、コンピュータ読み取り可能に記録され、及びプロセッサにより実行可能な何れかであるプログラムであって、請求項１乃至６の少なくとも１項に記載の判定方法を実行するためのプログラム。
【請求項８】
全体的又は部分的に着脱可能であり、請求項１乃至６の何れか１項に記載の判定方法を実行するための前記コンピュータにより実行可能なプログラムを格納するコンピュータにより読み取り可能な記憶媒体。
【請求項９】
少なくとも１つの受信機ノードが中継受信機ノードによりコンテンツを受信すべきである一組の受信機ノードへの送信機ノードによる前記コンテンツのブロードキャストの際に複数のノードによる通信ネットワークへのアクセスシーケンスを判定するマネージャデバイスであって、
−受信機ノード毎に、２つのノード間の直接通信が可能である場合に前記２つのノード間に存在する少なくとも１つの他のノードとの少なくとも１つの子リンクを判定する手段と、
−階層木が少なくとも１つの中継受信機ノードを規定し且つ前記一組の受信機ノードによる前記コンテンツの受信を可能にし、一組の判定した子リンクの選択に基づいて、ダイバーシティの少なくとも１つの規則の関数として、ルートが前記送信機ノードである前記階層木を判定する手段と、
−１以上の中継受信機ノードによるアクセスと前記階層木の前記子リンクによりリンクされる１以上の受信機ノードによるアクセスとの間に、少なくとも１つの他のノードが前記通信ネットワークにアクセスすることを前記アクセスシーケンスが提供できるように前記階層木から前記アクセスシーケンスを判定する手段とを有することを特徴とするマネージャデバイス。
【請求項１０】
前記少なくとも１つの子リンクを判定する手段は、前記通信ネットワークの前記ノード間の通信レベルを表す情報を判定する手段を含み、前記階層木を判定する手段は通信レベルを表す前記情報を考慮する手段を含むことを特徴とする請求項９記載のマネージャデバイス。
【請求項１１】
前記ダイバーシティの規則の１つは、前記子リンクによりリンクされる前記ノード間の通信レベルを表す前記情報が所定の閾値より大きい場合、判定される子リンクが前記階層木を判定するために選択されることを要求することを特徴とする請求項１０記載のマネージャデバイス。
【請求項１２】
前記ダイバーシティの規則の１つは、前記受信機ノードの各々が前記コンテンツの受信を可能にする前記階層木の複数のリンクを有することを要求することを特徴とする請求項９乃至１１の何れか１項に記載のマネージャデバイス。
【請求項１３】
前記送信機ノードが前記通信ネットワークへのアクセス用のいくつかのアンテナを有し、前記階層木が存在する送信機ノードアンテナと同数の枝により構成されるとともに、前記ダイバーシティの規則の１つは前記送信機ノードに関連して前記階層木の平衡化を要求することを特徴とする請求項９乃至１２の何れか１項に記載のマネージャデバイス。
【請求項１４】
前記アクセスシーケンスを判定する手段は、
−第２の受信機ノードが前記送信機ノードとの子リンクを有さずに、第１の受信機ノードが前記送信機ノードとの子リンクを有すること、
−前記第２の受信機ノードが中継受信機ノードでなく、前記第１の受信機ノードが中継受信機ノードであること、
−前記第１及び第２の受信機ノードはそれぞれ第１及び第２の中継受信者受信機ノードにおける前記コンテンツの受信を可能にする中継受信機ノードであり、第１の中継受信者受信機ノードの数は第２の中継受信者受信機ノードの数より多いこと、
−前記第１及び第２の受信機ノードはそれぞれ第１及び第２の中継受信者受信機ノードにおける前記コンテンツの受信を可能にする中継受信機ノードであり、前記第２の中継受信者受信機ノードの何れも中継ノードでなく、前記第１の中継受信者受信機ノードの少なくとも１つが中継ノードであることのうち少なくとも１つの基準が検証される場合、前記シーケンスが前記シーケンス中の前記第２の受信機ノードの前に前記第１の受信機ノードによる前記通信ネットワークへのアクセスを更に提供することを特徴とする請求項９乃至１３の何れか１項に記載のマネージャデバイス。